(57)【要約】【課題】機器との通信中に優先度の高い他のデータを受け取った場合、その優先度の高いデータを優先して処理を行う。【解決手段】情報処理装置は、生体の状態を測定する生体測定機器と通信接続される情報処理装置であって、通信に関するシーケンスを示すシーケンス定義情報であって、互いに通信タイミングが異なる第１シーケンス定義情報と第２シーケンス定義情報とのそれぞれに基づいて、生体測定機器と通信するシーケンス実行部と、第１シーケンス定義情報に基づく通信よりも優先して、第２シーケンス定義情報に基づく通信により生体測定機器から送信されるデータを当該データの送信先に送信するデータ送信部と、を備える。【選択図】図３
2015222863.tif 000002
【特許請求の範囲】
【請求項１】
生体の状態を測定する生体測定機器と通信接続される情報処理装置であって、
通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行部と、
前記第１シーケンス定義情報に基づく通信よりも優先して、前記第２シーケンス定義情報に基づく通信により前記生体測定機器から送信されるデータを当該データの送信先に送信するデータ送信部と、
を備えることを特徴とする情報処理装置。
【請求項２】
前記第１シーケンス定義情報は、前記生体測定機器から測定データを含むデータを取得する取得シーケンスを示し、
前記第２シーケンス定義情報は、前記生体測定機器との通信開始から終了までの期間において前記生体測定機器から送信される前記生体測定機器の状態を示す情報を含むデータを待ち受ける常駐型シーケンスを示し、
前記データ送信部は、
前記第１シーケンス定義情報に基づく通信により前記生体測定機器から送信されるデータより、前記第２シーケンス定義情報に基づく通信により前記生体測定機器から送信されるデータを優先して、当該データの送信先に送信する
ことを特徴とする請求項１に記載の情報処理装置。
【請求項３】
生体の状態を測定する生体測定機器と、前記生体測定機器と通信接続される情報処理装置とを備える情報処理システムであって、
前記情報処理装置は、
測定した前記生体の状態を表すデータおよび生体測定機器に関する情報を送信し、
前記情報処理装置は、
通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行部と、
前記第１シーケンス定義情報に基づく通信よりも優先して、前記第２シーケンス定義情報に基づく通信により前記生体測定機器から送信されるデータを当該データの送信先に送信するデータ送信部と、
を備えることを特徴とする情報処理システム。
【請求項４】
生体の状態を測定する生体測定機器と通信接続される情報処理装置における情報処理方法であって、
通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行過程と、
前記第１シーケンス定義情報に基づく通信よりも優先して、前記第２シーケンス定義情報に基づく通信により前記生体測定機器から送信されるデータを当該データの送信先に送信するデータ送信過程と、
を有することを特徴とする情報処理方法。
【請求項５】
生体の状態を測定する生体測定機器と通信接続される情報処理装置のコンピュータに、
通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行ステップと、
前記第１シーケンス定義情報に基づく通信よりも優先して、前記第２シーケンス定義情報に基づく通信により前記生体測定機器から送信されるデータを当該データの送信先に送信するデータ送信ステップと、
を実行させるための情報処理プログラム。
【発明の詳細な説明】
【技術分野】
【０００１】
本発明は、情報処理装置、情報処理システム、情報処理方法、および情報処理プログラムに関する。
【背景技術】
【０００２】
パーソナルコンピュータなどの情報処理装置により、複数の機器から出力されるデータを収集するものがある。例えば、特許文献１に記載の技術は、被測定者の健康状態の測定値を複数の測定機器から受信して、測定値を管理する情報取得装置に対して送信する測定データ通信装置である。この測定データ通信装置は、複数の測定値の属性を定義する属性定義列と、属性定義列と一意に対応するコード値とから通信情報を生成する通信情報生成手段と、コード値と複数の測定値とから測定データを生成する測定データ生成手段と、通信情報および測定データを情報取得装置に送信する送信手段とを備えるものである。
【先行技術文献】
【特許文献】
【０００３】
【特許文献１】特開２００８−１１７２３８号公報
【発明の概要】
【発明が解決しようとする課題】
【０００４】
しかしながら、特許文献１に記載の技術では、所定の手順に従って処理を行うため、測定機器から受信した順番に通信情報および測定データを情報取得装置に対して送信することになる。そのため、測定機器から優先度の高いデータを受信した場合であってもそのデータを先に情報取得装置に送信するといったような状況に応じた処理ができなかった。
【０００５】
本発明は上記の点に鑑みてなされたものであり、機器との通信中に優先度の高い他のデータを受け取った場合、その優先度の高いデータを優先して処理を行うことができる情報処理装置、情報処理システム、情報処理方法、および情報処理プログラムを提供することを課題とする。
【課題を解決するための手段】
【０００６】
（１）本発明は上記の課題を解決するためになされたものであり、本発明の一態様は、生体の状態を測定する生体測定機器と通信接続される情報処理装置であって、通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行部と、前記第１シーケンス定義情報に基づく通信よりも優先して、前記第２シーケンス定義情報に基づく通信により前記生体測定機器から送信されるデータを当該データの送信先に送信するデータ送信部と、を備えることを特徴とする情報処理装置である。
【０００７】
（２）また、本発明の一態様は、生体の状態を測定する生体測定機器と、前記生体測定機器と通信接続される情報処理装置とを備える情報処理システムであって、前記情報処理装置は、測定した前記生体の状態を表すデータおよび生体測定機器に関する情報を送信し、前記情報処理装置は、通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行部と、前記第１シーケンス定義情報に基づく通信よりも優先して、前記第２シーケンス定義情報に基づく通信により前記生体測定機器から送信されるデータを当該データの送信先に送信するデータ送信部と、を備えることを特徴とする情報処理システムである。
【０００８】
（３）また、本発明の一態様は、生体の状態を測定する生体測定機器と通信接続される情報処理装置における情報処理方法であって、通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行過程と、前記第１シーケンス定義情報に基づく通信よりも優先して、前記第２シーケンス定義情報に基づく通信により前記生体測定機器から送信されるデータを当該データの送信先に送信するデータ送信過程と、を有することを特徴とする情報処理方法である。
【０００９】
（４）また、本発明の一態様は、生体の状態を測定する生体測定機器と通信接続される情報処理装置のコンピュータに、通信に関するシーケンスを示すシーケンス定義情報であって、互いに通信タイミングが異なる第１シーケンス定義情報と第２シーケンス定義情報とのそれぞれに基づいて、前記生体測定機器と通信するシーケンス実行ステップと、前記第１シーケンス定義情報に基づく通信よりも優先して、前記第２シーケンス定義情報に基づく通信により前記生体測定機器から送信されるデータを当該データの送信先に送信するデータ送信ステップと、を実行させるための情報処理プログラムである。
【発明の効果】
【００１０】
本発明によれば、機器との通信中に優先度の高い他のデータを受け取った場合、その優先度の高いデータを優先して処理を行うことができる。
【図面の簡単な説明】
【００１１】
【図１】本発明の第１の実施形態に係る情報処理システムの構成の一例を示す概略ブロック図である。
【図２】第１の実施形態に係る情報処理装置のハードウェア構成の一例を示すハードウェア構成図である。
【図３】第１の実施形態に係る情報処理装置の機能構成の一例を示す概略ブロック図である。
【図４】第１の実施形態に係る定義情報記憶部が記憶するデータ定義および変換規則を含む定義情報の一例を示すテーブルである。
【図５】第１の実施形態に係る送信データのデータフォーマットの一例を示す概略図である。
【図６】第１の実施形態に係る健康機器から送信される測定データおよびデータフォーマットの一例を示す概略図である。
【図７】第１の実施形態に係る健康機器から送信される測定データおよびデータフォーマットの他の一例を示す概略図である。
【図８】第１の実施形態に係るフォーマット変換部が生成した送信データおよびデータフォーマットの一例を示す概略図である。
【図９】第１の実施形態に係る処理部が健康機器に送信するデータ送信要求のデータフォーマットの一例を示す概略図である。
【図１０】第１の実施形態に係る健康機器から送信されるデータ情報およびデータフォーマットの一例を示す概略図である。
【図１１】第１の実施形態に係る健康機器から送信されるデータ情報およびデータフォーマットの他の一例を示す概略図である。
【図１２】第１の実施形態に係る定義情報記憶部が記憶するシーケンス定義情報の一例を示す概略図である。
【図１３】第１の実施形態に係る定義情報記憶部が記憶するシーケンス定義情報の一例を示す概略図である。
【図１４】第１の実施形態に係る定義情報記憶部が記憶するシーケンス定義情報の一例を示す概略図である。
【図１５】第１の実施形態に係る定義情報記憶部が記憶するシーケンス定義情報の一例を示す概略図である。
【図１６】第１の実施形態に係る定義情報記憶部が記憶するメッセージ定義情報の一例を示す概略図である。
【図１７】第１の実施形態に係る定義情報記憶部が記憶するメッセージ定義情報一例を示す概略図である。
【図１８】第１の実施形態に係る定義情報記憶部が記憶するメッセージ定義情報一例を示す概略図である。
【図１９】第１の実施形態に係る定義情報記憶部が記憶するメッセージ定義情報の一例を示す概略図である。
【図２０】第１の実施形態に係る定義情報記憶部が記憶するメッセージ定義情報の一例を示す概略図である。
【図２１】第１の実施形態に係る処理部のデータ送信処理の一例を示すフローチャートである。
【図２２】本発明の第２の実施形態に係る情報処理装置の機能構成の一例を示す概略ブロック図である。
【図２３】第２の実施形態に係る処理部のデータ送信処理の一例を示すフローチャートである。
【発明を実施するための形態】
【００１２】
以下、図面を参照しながら本発明の実施形態について詳しく説明する。
（第１の実施形態）
まず、本発明の第１の実施形態について説明する。
図１は、本発明の第１の実施形態に係る情報処理システムＳ１の構成の一例を示す概略ブロック図である。
図１に示すように、情報処理システムＳ１は、データ収集サーバ装置１と、定義情報サーバ装置２と、情報処理装置３と、健康機器４と、を含んで構成される。情報処理装置３は、記憶部３１と、入力部３２と、第２通信部３３と、制御部３４と、第１通信部３５と、表示部３６と、を含んで構成される。
【００１３】
データ収集サーバ装置１は、インターネットなどの通信路を介して、情報処理装置３に通信接続されている。なお、データ収集サーバ装置１には、複数の情報処理装置３が通信接続されていてもよい。データ収集サーバ装置１は、情報処理装置３が健康機器４から受信した測定データを収集して記憶する。また、データ収集サーバ装置１は、情報処理装置３からシーケンス定義情報に関する問い合わせを受信すると、当該問い合わせに対する応答を返信する。
【００１４】
定義情報サーバ装置２は、インターネットなどの通信路を介して、情報処理装置３に通信接続されている。なお、定義情報サーバ装置２には、複数の情報処理装置３が通信接続されていてもよい。この定義情報サーバ装置２は、健康機器４を特定するための機器特定情報に対応する定義情報を記憶している。定義情報には、データ定義と、変換規則と、シーケンス定義情報と、メッセージ定義情報とが含まれる。シーケンス定義情報は、機器特定情報ごとのシーケンス定義情報であり、健康機器４との通信に関するシーケンスを示すデータである。メッセージ定義情報は、シーケンス定義情報に記載されているメッセージを定義するデータである。定義情報サーバ装置２は、情報処理装置３から機器特定情報を含む問い合わせを受けると、当該問い合わせに対する応答として、当該機器特定情報に対応する定義情報を情報処理装置３に返す。具体的には、定義情報サーバ装置２は、情報処理装置３から機器特定情報を含む問い合わせを受けると、当該問い合わせに対する応答として、当該機器特定情報に対応するデータ定義と変換規則とシーケンス定義情報と当該シーケンス定義情報とに記載されているメッセージのメッセージ定義情報とを情報処理装置３に返す。
【００１５】
情報処理装置３は、携帯電話、スマートフォン、携帯情報端末、タブレット型端末、ウェアラブル端末、パーソナルコンピュータなどである。情報処理装置３は、健康機器４と当該健康機器４のアドレス、認証キー、暗号化キーなどを交換して通信接続を確立する。そして、情報処理装置３は、健康機器４から機器情報を取得し、当該機器情報に基づいて定義情報を特定する機器特定情報を生成する。情報処理装置３は、健康機器４から当該健康機器４により測定された測定データや機器状態を示す情報を含むデータを取得し、取得したデータをデータ収集サーバ装置１に送信する。例えば、情報処理装置３は、健康機器４から取得したデータを機器特定情報に基づいてデータ変換し、データ変換したデータのデータフォーマットを変換して送信データを生成する。また、情報処理装置３は、生成した送信データをデータ収集サーバ装置１に送信する。
【００１６】
健康機器４は、生体の状態を測定する生体測定機器であり、例えば、歩数計、活動量計、体重計、体組成計、血圧計、脈拍計、体温計などである。健康機器４は、ブルートゥース（Ｂｌｕｅｔｏｏｔｈ（登録商標））などの通信路を介して、測定データや機器状態を示す情報を含むデータを情報処理装置３に送信する。なお、測定データには、測定項目に対応する一つまたは複数のデータ情報が含まれる。
【００１７】
次いで、情報処理装置３の構成を説明する。
記憶部３１は、ＲＡＭ（Ｒａｎｄｏｍ  Ａｃｃｅｓｓ  Ｍｅｍｏｒｙ；ランダムアクセスメモリ）、マスクＲＯＭ（Ｒｅａｄ  Ｏｎｌｙ  Ｍｅｍｏｒｙ：ロム）、ＦｅＲＡＭ（Ｆｅｒｒｏｅｌｅｃｔｒｉｃ  Ｒａｎｄａｍ  Ａｃｃｅｓｓ  Ｍｅｍｏｒｙ：強誘電体メモリ）、フラッシュメモリ、メモリカード、ハードディスク、ＳＳＤ（Ｓｏｌｉｄ  Ｓｔａｔｅ  Ｄｒｉｖｅ；ソリッドステートドライブ）などのメモリであり、制御部３４が実行するプログラムおよび制御部３４が当該プログラムを実行する際に必要となるデータを記憶する。当該プログラムには、アプリケーションやミドルウェアデバイスドライバ、オペレーションシステムなども含まれる。入力部３２は、タッチパネル、入力キー、マウス、音声入力装置など、ユーザによる入力操作を受け付ける入力デバイスである。
【００１８】
第２通信部３３は、無線ＬＡＮ（Ｌｏｃａｌ  Ａｒｅａ  Ｎｅｔｗｏｒｋ；ローカルエリアネットワーク）による通信を行う。情報処理装置３の各部がデータ収集サーバ装置１との間で行う通信は、第２通信部３３を介して行われる。また、情報処理装置３の各部が定義情報サーバ装置２との間で行う通信は、第２通信部３３を介して行われる。なお、第２通信部３３は、３Ｇ（第３世代）回線、４Ｇ回線、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ワイマックス）、ＬＴＥ（Ｌｏｎｇ  Ｔｅｒｍ  Ｅｖｏｌｕｔｉｏｎ）などのその他の無線通信、あるいは、インターネットなどの有線通信を行ってもよい。
【００１９】
制御部３４は、ＣＰＵ（Ｃｅｎｔｒａｌ  Ｐｒｏｃｅｓｓｉｎｇ  Ｕｎｉｔ；中央演算処理装置）を備え、記憶部３１が記憶するプログラムを実行することで、情報処理装置３の各部を制御する。第１通信部３５は、ブルートゥース（Ｂｌｕｅｔｏｏｔｈ（登録商標））による通信を行う。本実施形態では、情報処理装置３の各部が健康機器４との間で行う通信は、第１通信部３５を介して行われる。なお、第１通信部３５は、ＮＦＣ（Ｎｅａｒ  Ｆｉｅｌｄ  Ｃｏｍｍｕｎｉｃａｔｉｏｎ；近距離通信）、無線ＬＡＮなどのその他の無線通信、あるいは、ＵＳＢ（Ｕｎｉｖｅｒｓａｌ  Ｓｅｒｉａｌ  Ｂｕｓ；ユーエスビー）などの有線通信を行ってもよい。表示部３６は、液晶ディスプレイ、有機ＥＬ（Ｅｌｅｃｔｒｏ  Ｌｕｍｉｎｅｓｃｅｎｃｅ）ディスプレイ、プラズマディスプレイなどの表示装置を備え、画像を表示する。
【００２０】
図２は、第１の実施形態に係る情報処理装置３のハードウェア構成の一例を示すハードウェア構成図である。
情報処理装置３は、ＣＰＵ５０１と、第１通信部５０２と、第２通信部５０３と、出力部５０４と、メモリ５０５と、入力部５０６と、を備える。ＣＰＵ５０１と、第１通信部５０２と、第２通信部５０３と、出力部５０４と、メモリ５０５と、入力部５０６とは、バスＢ（母線）を介して相互に接続される。
ＣＰＵ５０１は、制御部３４であり、メモリ５０５が記憶するプログラムや各種データを読み出して実行し、情報処理装置３を制御する。第１通信部５０２は、第１通信部３５である。第２通信部５０３は、第２通信部３３である。出力部５０４は、表示部３６、スピーカなどの出力装置である。メモリ５０５は、記憶部３１である。入力部５０６は、入力部３２である。
【００２１】
図３は、第１の実施形態に係る情報処理装置３の機能構成の一例を示す概略ブロック図である。図３において、処理部３０は、制御部３４が記憶部３１からプログラムを読み出して実行することで実現される。処理部３０は、ペアリング部３０１と、機器情報記憶部３０２と、機器特定部３０４と、定義情報取得部３０５と、データ取得部３０６と、定義情報記憶部３０７と、フォーマット変換部３０８と、データ送信部３０９と、シーケンス調整部３１０と、シーケンス実行部３２０と、を含んで構成される。
【００２２】
ペアリング部３０１は、広告（ａｄｖｅｒｔｉｓｉｎｇ）している健康機器４を検出し、当該健康機器４と接続し、情報処理装置３と健康機器４との間の通信に必要な通信情報を交換し、情報処理装置３と健康機器４との間の通信接続を確立する。そして、ペアリング部３０１は、当該通信情報を機器情報記憶部３０２に記憶させる。ここで、通信情報とは、健康機器４のアドレス情報、認証キー情報、暗号化キー情報などを含む通信接続を確立するための情報である。例えば、ペアリング部３０１は、広告しているブルートゥース機器（健康機器４）を検出し、当該ブルートゥース機器と接続し、情報処理装置３とブルートゥース機器との間の通信に必要なブルートゥース機器のアドレス、認証キー情報、暗号化キー情報を交換し、情報処理装置３とブルートゥース機器との間の通信接続を確立する。
【００２３】
ペアリング部３０１は、通信接続された健康機器４が提供するサービスを検索し、当該サービスに含まれる機器情報を提供するサービスに対してデータ要求を行い、健康機器４から機器情報を取得する。ここで、機器情報とは、健康機器４の機種名と、機種種別とを含む情報である。なお、機器情報は、健康機器４の機種を識別できる情報であればよく、ＪＡＮ（Ｊａｐａｎｅｓｅ  Ａｒｔｉｃｌｅ  Ｎｕｍｂｅｒ；ジャン）コードなどの商品識別コードであってもよいし、型番や機種名であってもよいし、メーカー名と型番とのように複数の機種を識別できる情報の組み合わせであってもよい。
ペアリング部３０１は、通信接続を確立した健康機器４と、取得した機器情報と、を対応付けて機器情報記憶部３０２に記憶させる。
なお、２回目以降、同じ健康機器４と接続する場合、ペアリング部３０１は、機器情報の取得を行わなくてもよい。これにより、健康機器４と通信接続する毎に機器情報を取得する必要がなくなり、処理を簡素化できるとともに、処理時間を短縮することができる。また、当該処理の簡素化、処理時間の短縮により消費電力を削減することができる。
【００２４】
機器情報記憶部３０２は、健康機器４と機器情報とを対応付けて記憶する。具体的には、機器情報記憶部３０２は、健康機器４のアドレスと機器情報とを対応付けて記憶する。
機器特定部３０４は、機器情報記憶部３０２から機器情報に含まれるメーカー名と型番とを読み出し、当該メーカー名と型番とから健康機器４の定義情報を特定するための機器特定情報を生成する。そして、機器特定部３０４は、生成した機器特定情報を定義情報取得部３０５およびフォーマット変換部３０８に出力する。また、機器特定部３０４は、生成した機器特定情報を定義情報記憶部３０７に記憶させる。
【００２５】
なお、機器特定情報には、歩数計、活動量計、体重計、体組成計、血圧計、脈拍計、体温計などの健康機器４の種別が含まれてもよい。また、機器情報には、一定の共通点を有する健康機器４が機器群に予め分類された機器群情報が含まれてもよく、当該機器群情報が機器情報に含まれる場合、機器特定部３０４は、当該機器群情報と、メーカー名とから機器特定情報を生成してもよい。
【００２６】
なお、機器特定部３０４が機器特定情報に基づいて定義情報記憶部３０７を参照し、当該機器特定情報に対応する定義情報が定義情報記憶部３０７に記憶されている場合、定義情報取得部３０５は、定義情報の取得を行わなくてもよい。これにより、ネットワークを経由した問い合わせおよび当該問い合わせに対する応答の取得などの処理が不要になり、処理時間が短縮することができるため消費電力を削減することができる。
【００２７】
定義情報取得部３０５は、機器特定部３０４から入力された機器特定情報に基づいて定義情報サーバ装置２に問い合わせを送信し、当該問い合わせに対する応答として当該機器特定情報に対応する定義情報を取得する。この定義情報には、上述したようにデータ定義と、変換規則と、シーケンス定義情報と、メッセージ定義情報とが含まれる。データ定義には、データ名と、データＩＤと、データ構造と、データの位置と、データのサイズと、データのデータ型と、単位と、が含まれる。また、変換規則には、データフォーマットにおける変換位置と、変換するデータ型を表すデータ型変換と、単位変換とが含まれる。具体的には、定義情報取得部３０５は、機器特定部３０４から入力された機器特定情報に基づいて、定義情報サーバ装置２に問い合わせを送信し、当該問い合わせに対する応答として当該機器特定情報に対応するデータ定義と変換規則とシーケンス定義情報と当該シーケンス定義情報とに記載されたメッセージのメッセージ定義情報とを取得する。また、定義情報取得部３０５は、機器特定情報と取得した定義情報とを対応付けて定義情報記憶部３０７に記憶させる。定義情報記憶部３０７は、機器特定情報と上述の定義情報とを対応付けて記憶する。
【００２８】
データ取得部３０６は、通信接続が確立された健康機器４から送信される測定データを取得し、当該測定データをフォーマット変換部３０８に出力する。この測定データの構造は、例えば、データＩＤとデータ情報とが対になったデータ構造である。また、データ情報は、一つの測定項目のデータ情報であってもよいし、複数の測定項目のデータ情報がまとめられたデータ情報であってもよい。また、データ取得部３０６は、通信接続が確立された健康機器４から送信される健康機器４の状態を示す情報（バッテリー状態、通信電波状態、エラー情報等）を含むデータを取得し、取得したデータをフォーマット変換部３０８に出力する。
【００２９】
例えば、データ取得部３０６は、健康機器４から送信されるデータを、シーケンス調整部３１０を介して取得する。シーケンス調整部３１０は、健康機器４から送信されるデータを取得すると、取得したデータのうち優先度の高いデータを優先してデータ取得部３０６に出力する。つまり、データ取得部３０６は、健康機器４から送信されるデータを優先度に従って取得し、取得したデータをフォーマット変換部３０８に出力する。なお、シーケンス調整部３１０の機能について詳しくは後述する。
【００３０】
フォーマット変換部３０８は、機器特定部３０４から入力された機器特定情報に基づいて定義情報記憶部３０７から定義情報を読み出し、当該定義情報に含まれるデータ定義に基づいてデータ取得部３０６から入力された測定データに付随するデータＩＤを判定する。そして、フォーマット変換部３０８は、判定したデータＩＤに基づいて測定データの種類、構成、属性を特定し、定義情報に含まれる変換規則に基づいて測定データのデータ情報ごとにデータ変換し、データ変換した測定データのデータフォーマットを変換することで送信データを生成する。フォーマット変換部３０８は、生成した送信データをデータ送信部３０９に出力する。また、フォーマット変換部３０８は、健康機器４の状態を示す情報を含むデータがデータ取得部３０６から入力された場合、同様に当該データから送信データを生成してデータ送信部３０９に出力する。
【００３１】
データ送信部３０９は、フォーマット変換部３０８から入力された送信データに対し、データの符号化、変調、ＡＤ（Ａｎａｌｏｇ  ｔｏ  Ｄｉｇｉｔａｌ：アナログデジタル）変換、周波数変換、などの通信処理を施す。データ送信部３０９は、通信処理を施した送信データをデータ収集サーバ装置１に送信する。なお、データ送信部３０９は、通信処理を施した送信データを複数のデータ収集サーバ装置１に送信してもよい。
【００３２】
シーケンス実行部３２０は、シーケンス調整部３１０により選択されたシーケンス定義情報に基づいて、第１通信部３５を制御して健康機器４と通信する。シーケンス定義情報には、開始シーケンス定義情報、終了シーケンス定義情報、常駐型シーケンス定義情報、取得シーケンス定義情報、等がある。
【００３３】
例えば、シーケンス実行部３２０は、開始シーケンス定義情報に定義されているシーケンスに従って、健康機器４と通信を開始し、健康機器４からデータを受信する準備を整える。ここで、開始シーケンス定義情報は、健康機器４と通信を開始する際のシーケンスである開始シーケンスを定義したシーケンス定義情報である。また、シーケンス実行部３２０は、終了シーケンス定義情報に定義されているシーケンスに従って、健康機器４との通信を終了する。ここで、終了シーケンス定義情報は、健康機器４と通信を終了する際のシーケンスである終了シーケンスを定義したシーケンス定義情報である。
【００３４】
また、シーケンス実行部３２０は、常駐型シーケンス実行部３２１と、取得シーケンス実行部３２２とを備えている。常駐型シーケンス実行部３２１は、常駐型シーケンス定義情報に定義されているシーケンスに従って、健康機器４から送信される特定の情報を待ち受けて取得する。ここで、常駐型シーケンス定義情報は、健康機器４と通信接続が開始されてから終了するまでの期間において、健康機器４から送信される特定の情報を含むデータを待ち受けて受信するためのシーケンスである常駐型シーケンスを定義したシーケンス定義情報である。この健康機器４から送信される特定の情報とは、例えば、健康機器４から自発的に通知される健康機器４の状態を示す機器状態情報であり、バッテリー状態、通信電波状態、エラー情報等が含まれる。
【００３５】
取得シーケンス実行部３２２は、取得シーケンス定義情報に定義されているシーケンスに従って、健康機器４に対して測定データを要求して取得する。ここで、取得シーケンス定義情報は、健康機器４からデータを取得するためのシーケンスである取得シーケンスを定義したシーケンス定義情報である。
【００３６】
なお、開始シーケンス又は終了シーケンスに従った処理は、常駐型シーケンス実行部３２１又は取得シーケンス実行部３２２以外のシーケンス実行部３２０が備えるシーケンス実行部（例えば、初期設定シーケンス実行部、終了シーケンス実行部等）によって実行されてもよいし、常駐型シーケンス実行部３２１又は取得シーケンス実行部３２２によって実行されてもよい。
【００３７】
シーケンス調整部３１０は、シーケンス実行部３２０に実行させるシーケンス定義情報を選択する。また、シーケンス調整部３１０は、シーケンス実行部３２０と健康機器４との間で通信されるデータを中継する。
【００３８】
まず、シーケンス調整部３１０がシーケンス定義情報を選択する機能について説明する。シーケンス調整部３１０は、機器特定部３０４が特定した機器特定情報に対応するシーケンス定義情報を選択する。具体的には、シーケンス調整部３１０は、機器特定部３０４が特定した機器特定情報に対応するシーケンス定義情報を定義情報記憶部３０７から読み出し、読み出したシーケンス定義情報をシーケンス実行部３２０に出力する。例えば、シーケンス調整部３１０は、機器特定部３０４が特定した機器特定情報に対応する開始シーケンス定義情報又は終了シーケンス定義情報を定義情報記憶部３０７から読み出し、読み出したシーケンス定義情報をシーケンス実行部３２０に出力する。
【００３９】
また、シーケンス調整部３１０は、機器特定部３０４が特定した機器特定情報に対応する常駐型シーケンス定義情報を選択する。具体的には、シーケンス調整部３１０は、機器特定部３０４が特定した機器特定情報に対応する常駐型シーケンス定義情報を定義情報記憶部３０７から読み出し、読み出した常駐型シーケンス定義情報を常駐型シーケンス実行部３２１に出力する。
【００４０】
なお、シーケンス調整部３１０は、健康機器４との通信開始から終了までの途中で常駐型シーケンス定義情報を変更してもよい。例えば、シーケンス調整部３１０は、現在選択中の常駐型シーケンス定義情報と、機器特定部３０４が特定した機器特定情報に対応する他の常駐型シーケンス定義情報とに関する問い合わせをデータ収集サーバ装置１に送信し、その問い合わせに対する応答に基づいて、他の常駐型シーケンス定義情報の方が適している場合にはその常駐型シーケンス定義情報を選択してもよい。このとき、シーケンス調整部３１０は、データ収集サーバ装置１におけるデータ収集の状態や、健康機器４の機器状態等に基づいて、いずれの常駐型シーケンスが適しているかを評価して選択する。そして、シーケンス調整部３１０は、選択した常駐型シーケンス定義情報を常駐型シーケンス実行部３２１に出力する。これにより、常駐型シーケンス定義情報が変更される。
【００４１】
また、シーケンス調整部３１０は、送信データの送信先であるデータ収集サーバ装置１に基づいて、取得シーケンスを１つ選択する。具体的には、まず、シーケンス調整部３１０は、機器特定部３０４が特定した機器特定情報に対応する取得シーケンス定義情報を定義情報記憶部３０７から読み出す。続いて、シーケンス調整部３１０は、読み出した取得シーケンス定義情報が複数ある場合には、読み出した複数の取得シーケンス定義情報に関する問い合わせをデータ収集サーバ装置１に送信して、当該問い合わせに対する応答に基づいて最適な取得シーケンス定義情報を１つ選択する。最適な取得シーケンス定義情報は、読み出した複数の取得シーケンス定義情報のうち、これまでのデータ収集の状態等に基づく評価の最も高い取得シーケンス定義情報である。具体的には、シーケンス調整部３１０は、データ収集サーバ装置１におけるデータ収集の状態や、シーケンス実行部３２０が実行した開始シーケンスにおいて取得した健康機器４の機器状態等に基づいて、取得シーケンスを評価する。シーケンス調整部３１０は、最適な取得シーケンス定義情報を取得シーケンス実行部３２２に出力する。
【００４２】
例えば、シーケンス調整部３１０は、常駐型シーケンス定義情報と取得シーケンス定義情報とを選択して、常駐型シーケンス実行部３２１と取得シーケンス実行部３２２とのそれぞれに出力する。常駐型シーケンス実行部３２１は、シーケンス調整部３１０により選択された常駐型シーケンス定義情報に基づく通信を実行する。取得シーケンス実行部３２２は、シーケンス調整部３１０により選択された取得シーケンス定義情報に基づく通信を実行する。これにより、シーケンス実行部３２０は、常駐型シーケンス定義情報に基づく通信と取得シーケンス定義情報に基づく通信とを並行して行うことができる。
【００４３】
次に、シーケンス調整部３１０がシーケンス実行部３２０と健康機器４との間で通信されるデータを中継する機能について説明する。シーケンス調整部３１０は、シーケンス実行部３２０からシーケンス定義情報に基づいて送信されるデータを中継して健康機器４に送信する。また、シーケンス調整部３１０は、健康機器４から送信されるデータを中継して、データ取得部３０６又はシーケンス実行部３２０に出力する。
【００４４】
例えば、シーケンス調整部３１０は、健康機器４から送信されるデータが常駐型シーケンス定義情報に基づく通信によるものか、又は取得シーケンス定義情報に基づく通信によるものかを判定する。そして、シーケンス調整部３１０は、常駐型シーケンス定義情報に基づく通信により健康機器４から送信されるデータと、取得シーケンス定義情報に基づく通信により健康機器４から送信されるデータとのうち優先度の高い方のデータを優先して、データ取得部３０６に出力する。
【００４５】
一例として、シーケンス調整部３１０は、常駐型シーケンス定義情報に基づく通信により健康機器４から送信されるデータを、取得シーケンス定義情報に基づく通信により健康機器４から送信されるデータより優先して、データ取得部３０６に出力する。なお、シーケンス調整部３１０は、取得シーケンス定義情報に基づく通信中に、常駐型シーケンス定義情報に基づく通信により健康機器４から送信されたデータを取得した場合には、取得シーケンス定義情報に基づく通信を中断して、取得したデータをデータ取得部３０６に出力してもよい。これにより、常駐型シーケンス定義情報に基づく通信により健康機器４から送信されるデータが、取得シーケンス定義情報に基づく通信により健康機器４から送信されるデータより優先してデータ収集サーバ装置１に送信されることになる。
【００４６】
なお、本実施形態では、フォーマット変換部３０８が生成した送信データをデータ収集サーバ装置１に送信すると説明したが、データ収集サーバ装置１の代わりに処理部３０に予めインストールされたデータ収集用のアプリケーションに送信データを送信してもよい。この場合、ネットワークを経由したデータ送信の必要がなくなるため、処理時間を短縮することができ、消費電力を削減することができる。また、第２通信部３３が一時的に通信不可能になった場合であっても、データ収集用のアプリケーションへのデータ送信は可能であり、表示部３６を用いて送信データを確認することもできる。
【００４７】
図４は、第１の実施形態に係る定義情報記憶部３０７が記憶するデータ定義および変換規則を含む定義情報の一例を示すテーブルである。
図示するように定義情報のテーブルＴ１は、定義番号と、データ名と、データＩＤと、データ構造と、位置と、サイズと、データ型と、単位と、変換位置と、データ型変換と、単位変換と、の各項目の列を有する行と列からなる２次元の表形式のデータである。ここで、定義情報には、定義番号、データ名、データＩＤ、データ構造、位置、サイズ、データ型、単位のデータ定義と、変換位置、データ型変換、単位変換の変換規則と、が含まれる。定義情報記憶部３０７は、機器特定情報ごとに定義情報のテーブルを記憶している。
【００４８】
例えば、定義情報のテーブルＴ１の１行目は、定義番号が１であり、データ名が体重であり、データＩＤがＡＡＡＡであり、データ構造が多重であり、位置が０であり、サイズが２であり、データ型が１６ビット浮動小数点数であり、単位がＫｇであり、変換位置が（３）であり、データ型変換が最大４桁小数点第１位であり、単位変換が「そのまま」である。
２行目は、定義番号が２であり、データ名が体脂肪率であり、データＩＤがＡＡＡＡであり、データ構造が多重であり、位置が２であり、サイズが２であり、データ型が１６ビット浮動小数点数であり、単位が％であり、変換位置が（４）であり、データ型変換が最大３桁小数点第１位であり、単位変換が「そのまま」である。
３行目は、定義番号が３であり、データ名が骨格筋率であり、データＩＤがＡＡＡＡであり、データ構造が多重であり、位置が４であり、サイズが２であり、データ型が１６ビット浮動小数点数であり、単位が％であり、変換位置が（５）であり、データ型変換が最大３桁小数点第１位であり、単位変換が「そのまま」である。
４行目は、定義番号が４であり、データ名がタイムスタンプであり、データＩＤがＡＡＡＡであり、データ構造が多重であり、位置が６であり、サイズが７であり、データ型が７バイト年月日時分秒であり、単位が秒であり、変換位置が（１）であり、データ型変換が年月日時分秒（文字列）であり、単位変換が「そのまま」である。
５行目は、定義番号が５であり、データ名がユーザ番号であり、データＩＤがＢＢＢＢであり、データ構造が単一であり、位置が０であり、サイズが１であり、データ型が８ビット整数であり、単位が「なし」であり、変換位置が（２）であり、データ型変換が最大３桁であり、単位変換が「そのまま」である。
【００４９】
ここで、データ名とは、健康機器４から送信される測定データに含まれる情報の名称であり、データＩＤとは、健康機器４から送信される測定データに付随する識別子（Ｉｄｅｎｔｉｆｉｅｒ；ＩＤ）である。また、データ構造には、健康機器４から送信される測定データのデータ構造が多重構造を表す「多重」、単一構造を表す「単一」が格納される。また、位置とは、健康機器４から送信される測定データに含まれるデータ情報の位置であり、サイズとは、当該データ情報のバイトサイズである。データ型とは、健康機器４から送信される測定データのデータ情報ごとのデータ型である。単位とは、健康機器４から送信される測定データのデータ情報ごとに付随する単位であり、変換位置とは、健康機器４から送信される測定データに含まれるデータ情報を送信データのフォーマットに埋め込む位置である。また、データ型変換とは、健康機器４から送信されるデータ情報を送信データに変換するときの変換方法であり、単位変換には、データ情報に付随する単位、例えば、体重に付随する単位であるｋｇをポンド、オンスなどへの単位変換のように、変換後の単位が格納される。
なお、本実施形態では、測定データに付随するデータＩＤが一つの場合について説明しているが、カテゴリＩＤ、データＩＤなど複数のＩＤを付随した階層型の測定データであってもよい。これにより、データ情報の数が増えた場合でも、測定データの管理を容易に行うことができる。
【００５０】
図５は、第１の実施形態に係る送信データのデータフォーマットの一例を示す概略図である。
図示するように、送信データのデータフォーマットは、例えば、データフォーマットの始点を表す“ＳＴＡＲＴ”、データ名“タイムスタンプ”、区切りを表す「，」、タイムスタンプのデータ情報を格納する“（１）”、区切りを表す「，」、データ名“ユーザ番号”、区切りを表す「，」、ユーザ番号のデータ情報を格納する“（２）”、区切りを表す「，」、データ名“体重”、区切りを表す「，」、体重のデータ情報を格納する（３）、区切りを表す「，」、データ名“体脂肪率”、区切りを表す「，」、体脂肪率のデータ情報を格納する“（４）”、区切りを表す「，」、データ名“骨格筋率”、区切りを表す「，」、骨格筋率のデータ情報を格納する“（５）”、データフォーマットの終了を表す“ＥＮＤ”の順にデータ名とデータ情報とを格納するものである。ここで、例えば、（１）は、定義情報のテーブルＴ１における４行目の変換位置（１）に対応する。
【００５１】
図６は、第１の実施形態に係る健康機器４から送信される測定データおよびデータフォーマットの一例を示す概略図である。
図示するように、健康機器４から送信されるデータフォーマットには、ＡＡＡＡ、ｃｆ、ｆ２、ｃ９、ｆ０、４９、ｆ１、ｄｄ、０７、０２、１ｃ、１２、１ｅ、００の順に測定データのデータ情報のバイト列が格納されている。
フォーマット変換部３０８は、定義情報に含まれるデータ定義に基づいて測定データに付随するデータＩＤを判定することでデータ構成を判定する。例えば、フォーマット変換部３０８は、データＩＤ、ＡＡＡＡからデータ構成を判定し、定義情報のテーブルＴ１の位置の項目列からｃｆ、ｆ２が体重を表すデータ情報、ｃ９、ｆ０が体脂肪率を表すデータ情報、４９、ｆ１が骨格筋率を表すデータ情報、ｄｄ、０７、０２、１ｃ、１２、１ｅ、００がタイムスタンプを表すデータ情報と判定する。
【００５２】
図７は、第１の実施形態に係る健康機器４から送信される測定データおよびデータフォーマットの他の一例を示す概略図である。
図示するように、健康機器４から送信されるデータフォーマットには、ＢＢＢＢ、０１の順に測定データのデータ情報のバイト列が格納されている。フォーマット変換部３０８は、例えば、データＩＤ、ＢＢＢＢからデータ構成を判定し、０１がユーザ番号を表すデータ情報と判定する。
【００５３】
図８は、第１の実施形態に係るフォーマット変換部３０８が生成した送信データおよびデータフォーマットの一例を示す概略図である。
図４、図５および図６を参照して測定データのデータフォーマットの変換手段を説明する。フォーマット変換部３０８は、定義情報のテーブルＴ１におけるサイズが２以上であるデータ情報に対しては、データの下位バイトからデータ変換処理を行うリトルエンディアンの方法を使用する。また、１６ビット浮動小数点数のフォーマットは、順に、基数１０の指数部４ビット（２の補数）、仮数部１２ビット（２の補数）から構成されるものとする。
【００５４】
例えば、フォーマット変換部３０８は、定義情報のテーブルＴ１における１行目の体重のデータ情報のデータ型が１６ビット浮動小数点数、サイズが２であることから、図５における体重を表すバイト列ｃｆ、ｆ２からｆ２ｃｆｈと変換し、指数部をｆｈ＝−１、仮数部を２ｃｆｈ＝７１９と算出する。そして、フォーマット変換部３０８は、算出したｆｈ＝−１、２ｃｆｈ＝７１９から７１９×１０−１＝７１．９と変換することで体重を表すデータ情報のデータ変換を行う。そして、フォーマット変換部３０８は、定義情報のテーブルＴ１における１行目の体重のデータ情報の変換位置が（３）であることから、図５におけるデータ名“体重”の次の“（３）”にデータ変換した７１．９を格納する。
同様に、フォーマット変換部３０８は、体脂肪率、骨格筋率のデータ情報をデータ変換する。
【００５５】
例えば、フォーマット変換部３０８は、定義情報のテーブルＴ１における４行目のタイムスタンプのデータ情報のデータ型がバイト年月日時分秒、サイズが７であることから、図６における位置６から１２までのバイト列、ｄｄ、０７、０２、１ｃ、１２、１ｅ、００から、０７ｄｄｈ＝２０１３、０２ｈ＝２、１ｃｈ＝２８、１２ｈ＝１４、１ｅｈ＝３０、００ｈ＝００、０１ｈ＝１と算出し、２０１３−２−２８−１４：３０：００とタイムスタンプを表すデータ情報のデータ変換を行う。そして、フォーマット変換部３０８は、定義情報のテーブルＴ１における４行目のタイムスタンプのデータ情報の変換位置が（１）であることから、図５におけるデータ名“タイムスタンプ”の次の“（１）”にデータ変換した２０１３−２−２８−１４：３０：００を格納する。
このようにして、フォーマット変換部３０８は、測定データをデータ変換し、測定データのデータフォーマットを変換して図８に示す送信データを生成する。
【００５６】
なお、健康機器４は、一つまたは複数のデータ情報を内部に格納しており、当該データを、通信路を介して情報処理装置３に送信する場合、当該情報処理装置３からデータ情報を指定するデータＩＤが含まれたデータ送信要求を受信し、当該データ送信要求に応答して、当該データ送信要求に含まれるデータＩＤを有するデータ情報を情報処理装置３に送信してもよい。例えば、情報処理装置３の処理部３０は、健康機器４からデータ送信要求に対する応答として指定したデータＩＤのデータ情報を取得する。なお、データ情報は、一つの測定項目のデータ情報であってもよいし、複数の測定項目のデータ情報がまとめられたデータ情報であってもよい。
【００５７】
図９は、処理部３０が健康機器４に送信するデータ送信要求のデータフォーマットの一例を示す概略図である。図示するように、データ送信要求のデータフォーマットは、データ送信要求であることを表すヘッダとデータ取得部３０６が取得するデータ情報のデータＩＤとから構成される。例えば、データ取得部３０６が健康機器４からＡＡＡＡのデータＩＤのデータ情報を取得するとき、ヘッダには、送信要求であることを表す情報を格納し、データＩＤには、ＡＡＡＡを格納することで、データ送信要求を生成する。
【００５８】
図１０は、健康機器４から送信されるデータ情報およびデータフォーマットの一例を示す概略図である。例えば、図１０は、情報処理装置３からデータＩＤ「ＡＡＡＡ」に対するデータ送信要求が送信されたときに健康機器４が送信するデータ情報の一例である。
図示するように、健康機器４から送信されるデータフォーマットには、ｃｆ、ｆ２、ｃ９、ｆ０、４９、ｆ１、ｄｄ、０７、０２、１ｃ、１２、１ｅ、００の順にデータ情報が格納されるバイト列である。
フォーマット変換部３０８は、定義情報に含まれるデータ定義に基づいてデータ情報に付随するデータＩＤを判定することでデータ構成を判定する。例えば、フォーマット変換部３０８は、データＩＤ、ＡＡＡＡからデータ構成を判定し、定義情報のテーブルＴ１の位置の項目列からｃｆ、ｆ２が体重を表すデータ情報、ｃ９、ｆ０が体脂肪率を表すデータ情報、４９、ｆ１が骨格筋率を表すデータ情報、ｄｄ、０７、０２、１ｃ、１２、１ｅ、００がタイムスタンプを表すデータ情報と判定する。
【００５９】
図１１は、健康機器４から送信されるデータ情報およびデータフォーマットの他の一例を示す概略図である。この図１１は、情報処理装置３からデータＩＤ「ＢＢＢＢ」に対するデータ送信要求が送信されたときに健康機器４が送信するデータ情報の一例である。
図示するように、健康機器４から送信されるデータフォーマットには、０１の順に測定データのデータ情報が格納されるバイト列である。フォーマット変換部３０８は、例えば、データＩＤ、ＢＢＢＢからデータ構成を判定し、０１がユーザ番号を表すデータ情報と判定する。
【００６０】
図１２から図１５は、第１の実施形態に係る定義情報記憶部３０７が記憶するシーケンス定義情報の一例を示す概略図である。
図示するように、シーケンス定義情報は、シーケンス名と、シーケンスｔｙｐｅと、シーケンスの各ステップを示すステップテーブルとを有するデータである。シーケンス名は、シーケンスの名称であり、シーケンス定義情報の識別情報である。シーケンスｔｙｐｅは、シーケンスの種別が「開始シーケンス」であるか「終了シーケンス」であるか「取得シーケンス」であるかを示す。シーケンスｔｙｐｅ「開始」は開始シーケンスを示し、シーケンスｔｙｐｅ「終了」は終了シーケンスを示し、シーケンスｔｙｐｅ「取得」は取得シーケンスを示す。ステップテーブルは、ステップＮｏと、種類と、ステップ内容と、次ステップと、の各項目の列を有する行と列からなる２次元の表形式のデータである。ステップＮｏは、ステップの番号である。種類は、ステップおける処理である。種類「メッセージ」はメッセージを送信または受信することを示す。また、種類「通信切断」は、通信を切断することを示す。ステップ内容は、種類が「メッセージ」である場合に送信または受信するメッセージを示す。次ステップは、次のステップのステップＮｏである。次ステップ「ｅｎｄ」はシーケンスの終了を示す。
【００６１】
図１２は、開始シーケンス定義情報の一例を示す。本例では、シーケンス名が開始シーケンスであり、シーケンスｔｙｐｅが開始である。また、ステップテーブルの１行目は、ステップＮｏが１であり、種類がメッセージであり、ステップ内容が初期設定メッセージであり、次ステップが２である。２行目は、ステップＮｏが２であり、種類がメッセージであり、ステップ内容が初期設定完了メッセージであり、次ステップが３である。３行目は、ステップＮｏが３であり、種類がメッセージであり、ステップ内容が機器状態取得要求メッセージであり、次ステップが４である。４行目は、ステップＮｏが４であり、種類がメッセージであり、ステップ内容が機器状態取得応答メッセージであり、次ステップがｅｎｄである。
【００６２】
シーケンス実行部３２０は、シーケンス定義情報に基づいてシーケンスを実行する際、ステップＮｏの小さいステップから順に各ステップを実行する。また、シーケンス実行部３２０は、ステップの実行が完了すると、次ステップに記載されているステップＮｏのステップを実行する。また、シーケンス実行部３２０は、次ステップに「ｅｎｄ」が設定されている場合には、シーケンスの実行を終了する。
【００６３】
本例では、まず、シーケンス実行部３２０は、ステップＮｏ「１」のステップ（初期設定メッセージ）を実行する。次に、シーケンス実行部３２０は、ステップＮｏ「１」の次ステップに記載されているステップＮｏ「２」のステップ（初期設定完了メッセージ）を実行する。続いて、シーケンス実行部３２０は、ステップＮｏ「２」の次ステップに記載されているステップＮｏ「３」のステップ（機器状態取得要求メッセージ）を実行する。最後に、シーケンス実行部３２０は、ステップＮｏ「３」の次ステップに記載されているステップＮｏ「４」のステップ（機器状態取得応答メッセージ）を実行して開始シーケンスを終了する。
【００６４】
図１３は、終了シーケンス定義情報の一例を示す。本例では、シーケンス名が終了シーケンスであり、シーケンスｔｙｐｅが終了である。ステップテーブルの１行目は、ステップＮｏが１であり、種類がメッセージであり、ステップ内容が終了設定メッセージであり、次ステップが２である。２行目は、ステップＮｏが２であり、種類がメッセージであり、ステップ内容が終了設定完了メッセージであり、次ステップが３である。３行目は、ステップＮｏが３であり、種類が通信切断であり、ステップ内容が（空白）であり、次ステップがｅｎｄである。本例では、シーケンス実行部３２０は、ステップＮｏ「１」のステップ（終了設定メッセージ）、ステップＮｏ「２」のステップ（終了設定完了メッセージ）の順に各ステップを実行し、その後、通信を切断して終了シーケンスを終了する。
【００６５】
図１４は、取得シーケンス定義情報の一例を示す。
図１４（ａ）に示す例では、シーケンス名が取得シーケンス１であり、シーケンスｔｙｐｅが取得である。取得シーケンス１におけるステップテーブルの１行目は、ステップＮｏが１であり、種類がメッセージであり、ステップ内容がデータ送信要求メッセージ１（ＡＡＡＡ）であり、次ステップが２である。２行目は、ステップＮｏが２であり、種類がメッセージであり、ステップ内容がデータ送信応答メッセージ（ＡＡＡＡ）であり、次ステップが３である。３行目は、ステップＮｏが３であり、種類がメッセージであり、ステップ内容がデータ送信要求メッセージ１（ＢＢＢＢ）であり、次ステップが４である。４行目は、ステップＮｏが４であり、種類がメッセージであり、ステップ内容がデータ送信応答メッセージ（ＢＢＢＢ）であり、次ステップがｅｎｄである。本例では、取得シーケンス実行部３２２が、ステップＮｏの小さいステップから順に各ステップを実行する。ここでは、１つの取得シーケンス定義情報の中に複数のデータ送信要求メッセージが含まれているため、複数回のデータ要求と応答が繰り返される。
【００６６】
図１４（ｂ）に示す例では、シーケンス名が取得シーケンス２であり、シーケンスｔｙｐｅが取得である。取得シーケンス２におけるステップテーブルの１行目は、ステップＮｏが１であり、種類がメッセージであり、ステップ内容がモード設定要求メッセージ１であり、次ステップが２である。２行目は、ステップＮｏが２であり、種類がメッセージであり、ステップ内容がデータ送信メッセージ（ＡＡＡＡ）であり、次ステップが３である。３行目は、ステップＮｏが３であり、種類がメッセージであり、ステップ内容がデータ送信メッセージ（ＢＢＢＢ）であり、次ステップがｅｎｄである。本例では、取得シーケンス実行部３２２が、ステップＮｏの小さいステップから順に各ステップを実行する。
【００６７】
例えば、モード設定要求メッセージ１には、健康機器４を指定の動作モードに設定するために必要な情報（動作モード及びユーザ番号）が格納されている。すなわち、モード設定要求メッセージ１は、健康機器４を指定の動作モードに設定するためのメッセージである。
【００６８】
図１５は、常駐型シーケンス定義情報の一例を示す。本例では、シーケンス名が常駐型シーケンスであり、シーケンスｔｙｐｅが常駐である。また、ステップテーブルの１行目は、ステップＮｏが１であり、種類がメッセージであり、ステップ内容が機器状態通知メッセージであり、次ステップが１である。２行目は、ステップＮｏが２であり、種類が通信切断であり、ステップ内容が（空白）であり、次ステップがｅｎｄである。
【００６９】
本例では、常駐型シーケンス実行部３２１は、ステップＮｏ「１」のステップ（機器状態通知メッセージ）を繰り返し実行することで、健康機器４から送信される機器状態情報（バッテリー状態、通信電波状態、エラー情報等）を含むデータを常時待ち受ける。また、シーケンス実行部３２０が終了シーケンスを実行することにより健康機器４との通信が切断された場合、常駐型シーケンス実行部３２１は、ステップＮｏ「２」のステップを実行し、通信切断時の処理を実行する。この通信切断時の処理とは、例えば、次の常駐型シーケンスの実行の際に、ステップＮｏ「１」のステップが実行されるように初期状態に設定する処理である。
【００７０】
図１６から図２０は、第１の実施形態に係る定義情報記憶部３０７が記憶するメッセージ定義情報の一例を示す概略図である。
図示するように、メッセージ定義情報は、健康機器４と通信する際のメッセージを定義する情報であり、メッセージ名と、ｔｙｐｅと、メッセージ内容とを有するデータである。メッセージ名は、メッセージの名称であり、メッセージ定義情報の識別情報である。ｔｙｐｅは、メッセージが送信であるか受信であるかを示す。メッセージ内容は、メッセージの内容であり、Ｎｏとメッセージデータとの各項目の列を有する行と列からなる２次元の表形式のデータである。定義情報記憶部３０７は、記憶しているシーケンス定義情報に記載された全てのメッセージのメッセージ定義情報を記憶している。
【００７１】
シーケンス実行部３２０は、シーケンスにおけるステップの種類がメッセージである場合、ステップ内容のメッセージに対応するメッセージ定義情報を定義情報記憶部３０７から読み出し、読み出したメッセージ定義情報に基づいてメッセージを送信または受信する。シーケンス実行部３２０は、メッセージ定義情報のｔｙｐｅが送信である場合、メッセージ内容にあるメッセージデータをＮｏの順に並べたメッセージを生成し、生成したメッセージを健康機器４に送信する。一方、シーケンス実行部３２０は、メッセージ定義情報のｔｙｐｅが受信である場合、健康機器４から受信したメッセージが、メッセージ内容にあるメッセージデータをＮｏの順に並べたものであるか否かを判定することにより、メッセージを正しく受信したか否かを判定する。なお、シーケンス実行部３２０は、メッセージデータが（空白）である部分については当該判定を行わない。
【００７２】
図１６（ａ）は、初期設定メッセージのデータ例を示す。初期設定メッセージのｔｙｐｅは「送信」である。また、メッセージ内容の１行目は、Ｎｏが０であり、メッセージデータが１１である。２行目は、Ｎｏが１であり、メッセージデータが２２である。３行目は、Ｎｏが２であり、メッセージデータがＸＸである。Ｌ＋１行目は、ＮｏがＬであり、メッセージデータがＸＸである。
【００７３】
図１６（ｂ）は、初期設定完了メッセージのデータ例を示す。初期設定完了メッセージのｔｙｐｅは「受信」である。また、メッセージ内容の１行目は、Ｎｏが０であり、メッセージデータが１２である。２行目は、Ｎｏが１であり、メッセージデータが２３である。３行目は、Ｎｏが２であり、メッセージデータが（空白）である。Ｍ＋１行目は、ＮｏがＭであり、メッセージデータが（空白）である。
【００７４】
図１７（ａ）は、データ送信要求メッセージ１（ＡＡＡＡ）のデータ例を示す。データ送信要求メッセージ１（ＡＡＡＡ）のｔｙｐｅは「送信」である。また、メッセージ内容の１行目は、Ｎｏが０であり、メッセージデータがＡＡである。２行目は、Ｎｏが１であり、メッセージデータがＡＡである。３行目は、Ｎｏが２であり、メッセージデータが０１である。ここで、Ｎｏ「０」のメッセージデータ「ＡＡ」とＮｏ「１」のメッセージデータ「ＡＡ」とがデータＩＤ＝ＡＡＡＡのデータであることを示す。また、Ｎｏ「２」のメッセージデータ「０１」は、ユーザ番号が「１」であることを示している。
【００７５】
図１７（ｂ）は、データ送信要求メッセージ１（ＢＢＢＢ）のデータ例を示す。データ送信要求メッセージ１（ＢＢＢＢ）のｔｙｐｅは「送信」である。また、メッセージ内容の１行目は、Ｎｏが０であり、メッセージデータがＢＢである。２行目は、Ｎｏが１であり、メッセージデータがＢＢである。３行目は、Ｎｏが２であり、メッセージデータが０１である。ここで、Ｎｏ「０」のメッセージデータ「ＢＢ」とＮｏ「１」のメッセージデータ「ＢＢ」とがデータＩＤ＝ＢＢＢＢのデータであることを示す。また、Ｎｏ「２」のメッセージデータ「０１」はユーザ番号が「１」であることを示している。
【００７６】
データ送信要求メッセージ１（ＡＡＡＡ）及びデータ送信要求メッセージ２（ＡＡＡＡ）は、メッセージＩＤ＝ＡＡＡＡのデータを要求するデータ送信要求である。また、データ送信要求メッセージ１（ＢＢＢＢ）及びデータ送信要求メッセージ２（ＢＢＢＢ）は、メッセージＩＤ＝ＢＢＢＢのデータを要求するデータ送信要求である。
【００７７】
図１８（ａ）は、データ送信応答メッセージ（ＡＡＡＡ）のデータ例を示す。データ送信応答メッセージ（ＡＡＡＡ）のｔｙｐｅは「受信」である。また、メッセージ内容の１〜１３行目は、Ｎｏが０〜１２であり、メッセージデータが（空白）である。Ｎｏ「０」〜Ｎｏ「１２」のメッセージデータはデータＩＤ＝ＡＡＡＡとして処理されるデータである。
【００７８】
図１８（ｂ）は、データ送信応答メッセージ（ＢＢＢＢ）のデータ例を示す。データ送信応答メッセージ（ＢＢＢＢ）のｔｙｐｅは「受信」である。また、メッセージ内容の１行目は、Ｎｏが０であり、メッセージデータが（空白）である。Ｎｏ「０」のメッセージデータはデータＩＤ＝ＢＢＢＢとして処理されるデータである。
【００７９】
なお、データ送信要求メッセージ１（ＡＡＡＡ）、およびデータ送信要求メッセージ１（ＢＢＢＢ）では、メッセージ内容のＮｏ「２」に対応するメッセージデータにユーザ番号が設定されているが、これに限らず、メッセージ定義情報にパラメータを設定してもよい。この場合、シーケンス調整部３１０は、メッセージ定義情報にあるパラメータに関する問い合わせをデータ収集サーバ装置１に送信し、当該問い合わせに対する応答に基づいてパラメータの値を決定し、決定した値をパラメータに代入したものを最適な取得シーケンスとして選択してもよい。
【００８０】
図１９は、モード設定要求メッセージ１のデータ例を示す。モード設定要求メッセージ１のｔｙｐｅは「送信」である。また、メッセージ内容の１行目は、Ｎｏが０であり、メッセージデータが４４である。２行目は、Ｎｏが１であり、メッセージデータが５５である。３行目は、Ｎｏが２であり、メッセージデータが０１である。４行目は、Ｎｏが３であり、メッセージデータが０１である。ここで、Ｎｏ「０」のメッセージデータ「４４」とＮｏ「１」のメッセージデータ「５５」とが、健康機器４の動作モードを設定するためのモード設定要求のメッセージであることを示す。また、Ｎｏ「２」のメッセージデータ「０１」は、設定する動作モードが「１」であることを示す。また、Ｎｏ「３」のメッセージデータ「０１」は、要求する測定データのユーザ番号が「１」であることを示す。
【００８１】
図２０（ａ）は、データ送信メッセージ（ＡＡＡＡ）のデータ例を示す。データ送信メッセージ（ＡＡＡＡ）のｔｙｐｅは「受信」である。また、メッセージ内容の１行目は、Ｎｏが０であり、メッセージデータがＡＡである。２行目は、Ｎｏが１であり、メッセージデータがＡＡである。３〜１５行目は、Ｎｏが２〜１４であり、メッセージデータが（空白）である。ここで、Ｎｏ「０」のメッセージデータ「ＡＡ」とＮｏ「１」のメッセージデータ「ＡＡ」とがデータＩＤ＝ＡＡＡＡのデータであることを示す。また、Ｎｏ「２」〜Ｎｏ「１４」のメッセージデータはデータＩＤ＝ＡＡＡＡとして処理されるデータである。
【００８２】
図２０（ｂ）は、データ送信メッセージ（ＢＢＢＢ）のデータ例を示す。データ送信メッセージ（ＢＢＢＢ）のｔｙｐｅは「受信」である。また、メッセージ内容の１行目は、Ｎｏが０であり、メッセージデータがＢＢである。２行目は、Ｎｏが１であり、メッセージデータがＢＢである。３行目は、Ｎｏが２であり、メッセージデータが（空白）である。ここで、Ｎｏ「０」のメッセージデータ「ＢＢ」とＮｏ「１」のメッセージデータ「ＢＢ」とがデータＩＤ＝ＢＢＢＢのデータであることを示す。また、Ｎｏ「２」のメッセージデータはデータＩＤ＝ＢＢＢＢとして処理されるデータである。
【００８３】
次に、情報処理装置３の処理部３０が、健康機器４から送信されたデータを取得してデータ収集サーバ装置１に送信するデータ送信処理の動作について説明する。
図２１は、第１の実施形態に係る処理部３０のデータ送信処理の一例を示すフローチャートである。
ステップＳＴ１０１において、ペアリング部３０１は、広告（ａｄｖｅｒｔｉｓｉｎｇ）している健康機器４を検出し、当該健康機器４と接続し、初めて通信接続される健康機器４か否かを判定する。健康機器４が初めて通信接続される場合（ステップＳＴ１０１：ＹＥＳ）、ステップＳＴ１０２に進む。一方、初めて通信接続される健康機器４ではない場合（ステップＳＴ１０１：ＮＯ）、ステップＳＴ１０５に進む。
ステップＳＴ１０２において、ペアリング部３０１は、健康機器４と通信情報を交換し、通信接続を確立する（ペアリング実行）。
ステップＳＴ１０３において、ペアリング部３０１は、通信接続された健康機器４が提供するサービスを検索し、当該サービスに含まれる機器情報を提供するサービスに対してデータ要求を行い、健康機器４から機器情報を取得する。
【００８４】
なお、本実施形態では、情報処理装置３は、ステップＳＴ１０２及びＳＴ１０３において、ペアリングを行い、接続を確立した上で機器情報を取得しているが、これに限らず、ペアリングを行わない健康機器４と通信する場合には、ペアリングを行わずに接続を確立して機器情報を取得するようにしてもよい。或いは、情報処理装置３は、例えば、健康機器４の広告に機器情報が含まれる場合等、接続を確立せずとも機器情報を取得することができる場合は、接続を確立せずに取得した機器情報を利用してもよい。
【００８５】
ステップＳＴ１０４において、ペアリング部３０１は、取得した機器情報を機器情報記憶部３０２に記憶させ、ステップＳＴ１０６に進む。
ステップＳＴ１０５において、機器特定部３０４は、機器情報記憶部３０２から機器情報を読み出し、ステップＳＴ１０６に進む。
ステップＳＴ１０６において、機器特定部３０４は、機器情報に含まれるメーカー名と型番とから機器特定情報を生成する。
【００８６】
ステップＳＴ１０７において、機器特定部３０４は、機器特定情報に対応する定義情報が定義情報記憶部３０７に記憶されているか否かを判定する。定義情報が記憶されている場合（ステップＳＴ１０７：ＮＯ）、ステップＳＴ１１０に進む。一方、定義情報が記憶されていない場合（ステップＳＴ１０７：ＹＥＳ）、ステップＳＴ１０８に進む。
ステップＳＴ１０８において、定義情報取得部３０５は、機器特定部３０４が生成した機器特定情報に基づいて定義情報サーバ装置２に問い合わせを送信し、当該問い合わせに対する応答として当該機器特定情報に対応する定義情報を取得する。
【００８７】
ステップＳＴ１０９において、定義情報取得部３０５は、取得した定義情報を、機器特定部３０４が生成した機器特定情報に対応付けて定義情報記憶部３０７に記憶させる。具体的には、定義情報取得部３０５は、機器特定部３０４が生成した機器特定情報と、取得した定義情報に含まれるデータ定義と変換規則とシーケンス定義情報およびメッセージ定義情報とを対応付けて定義情報記憶部３０７に記憶させ、ステップＳＴ１１１に進む。
一方、ステップＳＴ１１０において、フォーマット変換部３０８は、機器特定部３０４が生成した機器特定情報に対応する定義情報を定義情報記憶部３０７から読み出し、ステップＳＴ１１１に進む。
【００８８】
なお、情報処理装置３が健康機器４と接続を開始して（ステップＳＴ１０１）から、定義情報サーバ装置２から定義情報を取得し（ステップＳＴ１０８）、取得した定義情報を記憶する（ステップＳＴ１０９）までに時間がかかることがある。この場合、健康機器４によっては、接続タイムアウトが発生し、確立した接続が切断されてしまうことがある。このような場合には、情報処理装置３は、定義情報が利用可能になった段階（ステップＳＴ１０９又はＳＴ１１０）で健康機器４と再接続して処理を継続する。
【００８９】
ステップＳＴ１１１において、シーケンス調整部３１０は、機器特定部３０４が生成した機器特定情報に対応する開始シーケンス定義情報及び常駐型シーケンス定義情報を選択する。具体的には、シーケンス調整部３１０は、機器特定部３０４が生成した機器特定情報に対応する開始シーケンス定義情報を定義情報記憶部３０７から読み出し、読み出した開始シーケンス定義情報をシーケンス実行部３２０に出力する。また、シーケンス調整部３１０は、機器特定部３０４が生成した機器特定情報に対応する常駐型シーケンス定義情報を定義情報記憶部３０７から読み出し、読み出した常駐型シーケンス定義情報を常駐型シーケンス実行部３２１に出力する。
【００９０】
ステップＳＴ１１２において、シーケンス実行部３２０は、シーケンス調整部３１０により選択された開始シーケンス定義情報に従って開始シーケンスを実行し、健康機器４との通信を開始する。また、常駐型シーケンス実行部３２１は、シーケンス調整部３１０により選択された常駐型シーケンス定義情報に従って常駐型シーケンスを実行し、健康機器４から送信されるデータを待ち受ける。
【００９１】
ステップＳＴ１１３において、シーケンス調整部３１０は、複数の取得シーケンス定義情報から最適な取得シーケンス定義情報を１つ選択する。具体的には、シーケンス調整部３１０は、機器特定部３０４が生成した機器特定情報に対応する取得シーケンス定義情報を定義情報記憶部３０７から読み出し、読み出した取得シーケンス定義情報に関する問い合わせをデータ収集サーバ装置１に送信する。続いて、シーケンス調整部３１０は、当該問い合わせに対する応答に基づいて最適な取得シーケンス定義情報を選択する。
ステップＳＴ１１４において、シーケンス実行部３２０は、シーケンス調整部３１０が選択した最適な取得シーケンス定義情報に従って取得シーケンスを実行する。例えば、シーケンス実行部３２０は、図１４（ａ）に示す取得シーケンス１を実行し、健康機器４に対して測定データを要求する。
【００９２】
ステップＳＴ１１５において、シーケンス調整部３１０は、健康機器４から送信されたデータが取得シーケンスによるデータであるか否かを判定する。取得シーケンスである場合（ステップＳＴ１１５：ＹＥＳ）、シーケンス調整部３１０は、当該データをデータ取得部３０６に出力して、ステップＳＴ１１９に進む。一方、取得シーケンスではない場合（ステップＳＴ１１５：ＮＯ）、ステップＳＴ１１６に進む。
【００９３】
ステップＳＴ１１９において、データ取得部３０６は、健康機器４から送信された取得シーケンスによるデータを、シーケンス調整部３１０から取得する。例えば、ステップＳＴ１１５において、健康機器４から送信されたデータが取得シーケンスによる測定データであると判定された場合、データ取得部３０６は、その測定データを、シーケンス調整部３１０から取得する。そして、データ取得部３０６は、取得した測定データをフォーマット変換部３０８に出力する。
ステップＳＴ１２０において、フォーマット変換部３０８は、定義情報に基づいて測定データのデータ情報ごとにデータ変換し、データ変換した測定データのデータフォーマットを変換することで送信データを生成する。
ステップＳＴ１２１において、データ送信部３０９は、フォーマット変換部３０８が生成した送信データを送信する。
【００９４】
一方、ステップＳＴ１１６において、シーケンス調整部３１０は、健康機器４から送信されたデータが常駐型シーケンスによるデータであるか否かを判定する。常駐型シーケンスでない場合（ステップＳＴ１１６：Ｎｏ）、ステップＳＴ１１５に戻り、健康機器４から送信されるデータに対する判定処理が継続される。一方、常駐型シーケンスである場合（ステップＳＴ１１６：ＹＥＳ）、ステップＳＴ１１７に進む。
【００９５】
ステップＳＴ１１７において、シーケンス調整部３１０は、取得シーケンスによる要求データの取得中であるか否かを判定する。ここで、要求データの取得中とは、例えば、図１４（ａ）に示す取得シーケンス１において、取得シーケンス実行部３２２がデータ送信要求メッセージ１（ＡＡＡＡ）を実行済みであるが、取得シーケンス１の実行が最後のステップまで完了していない状態のことをいう。最後のステップまで完了していない状態としては、データ送信要求メッセージ１（ＡＡＡＡ）に対する応答データを受け取っていない（すなわち、データ応答送信メッセ―ジ（ＡＡＡＡ）を取得していない）状態や、応答データが分割されて送信される場合にはその応答データの取得途中の状態等がある。
【００９６】
取得シーケンスによる要求データの取得中でない場合（ステップＳＴ１１７：ＮＯ）、シーケンス調整部３１０は、健康機器４から送信された常駐型シーケンスによるデータをデータ取得部３０６に出力して、ステップＳＴ１１９に進む。一方、取得シーケンスによる要求データの取得中である場合（ステップＳＴ１１７：ＹＥＳ）、シーケンス調整部３１０は、取得シーケンスによる処理を中断し（ステップＳＴ１１８）、健康機器４から送信された常駐型シーケンスによるデータをデータ取得部３０６に出力して、ステップＳＴ１１９に進む。
【００９７】
ステップＳＴ１１９において、データ取得部３０６は、健康機器４から送信された常駐型シーケンスによるデータを、シーケンス調整部３１０から取得する。データ取得部３０６は、取得した常駐型シーケンスによるデータをフォーマット変換部３０８に出力する。
ステップＳＴ１２０において、フォーマット変換部３０８は、定義情報に基づいて、常駐型シーケンスによるデータのデータ情報ごとにデータ変換し、データ変換したデータのデータフォーマットを変換することで送信データを生成する。
ステップＳＴ１２１において、データ送信部３０９は、フォーマット変換部３０８が生成した送信データを送信する。
【００９８】
なお、ステップＳＴ１２１の後、シーケンス調整部３１０は、取得シーケンスによる処理を中断していた場合には中断していた処理を再開させ、ステップＳＴ１１５からの処理を繰り返してもよい。また、シーケンス調整部３１０は、取得シーケンスによる処理が完了している場合、ステップＳＴ１１３からの処理を繰り返して、取得シーケンスによる処理と常駐型シーケンスによる処理とを継続させ、再度測定データを取得するようにしてもよい。これにより、再度測定データを取得する際に、通信接続に関する処理を省略することができるため、処理時間を省略することができる。
【００９９】
また、健康機器４との通信を終了する場合には、シーケンス調整部３１０は、機器特定部３０４が生成した機器特定情報に対応する終了シーケンス定義情報を定義情報記憶部３０７から読み出し、読み出した常駐型シーケンス定義情報を常駐型シーケンス実行部３２１に出力する。常駐型シーケンス実行部３２１は、この終了シーケンス定義情報に従って終了シーケンスを実行し、健康機器４との通信を終了する。なお、情報処理装置３が健康機器４との通信を終了する場合、所定の条件（所定の時間の経過等）で自動的に健康機器４との通信を切断してもよいし、シーケンス調整部３１０がデータ収集サーバ装置１から取得したデータに基づいて、通信の切断をしてもよい。
【０１００】
以上説明したように、本実施形態によれば、情報処理装置３は、生体の状態を測定する生体測定機器（健康機器４）と通信接続され、シーケンス実行部３２０と、データ送信部３０９を備えている。シーケンス実行部３２０は、通信に関するシーケンスを示すシーケンス定義情報に基づいて生体測定機器（健康機器４）と通信する。具体的には、シーケンス実行部３２０は、互いに通信タイミングが異なる第１シーケンス定義情報と第２シーケンス定義情報とのそれぞれに基づいて、生体測定機器と通信する。データ送信部３０９は、第１シーケンス定義情報に基づく通信よりも優先して、第２シーケンス定義情報に基づく通信により生体測定機器（健康機器４）から送信されるデータを当該データの送信先（データ収集サーバ装置１）に送信する。
【０１０１】
これにより、情報処理装置３は、複数のシーケンス定義情報のそれぞれに基づく複数の通信を行うとともに、当該通信により通信健康機器４から送信される優先度の高いデータを優先してデータ収集サーバ装置１に送信することができる。よって、情報処理装置３は、健康機器４との通信中に優先度の高い他のデータを受け取った場合、その優先度の高いデータを優先して処理を行うことができる。
【０１０２】
例えば、上記第１シーケンス定義情報は、生体測定機器（健康機器４）から測定データを含むデータを取得する取得シーケンスを示す。一方、上記第２シーケンス定義情報は、生体測定機器（健康機器４）との通信開始から終了までの期間において生体測定機器（健康機器４）から送信される生体測定機器（健康機器４）の状態を示す情報を含むデータを待ち受ける常駐型シーケンスを示す。そして、データ送信部３０９は、第１シーケンス定義情報に基づく通信により生体測定機器（健康機器４）から送信されるデータより、第２シーケンス定義情報に基づく通信により生体測定機器（健康機器４）から送信されるデータを優先して、当該データの送信先（データ収集サーバ装置１）に送信する。
【０１０３】
これにより、情報処理装置３は、健康機器４から測定データを取得してデータ収集サーバ装置１に送信しつつ、常駐型シーケンスによる優先度の高いデータを受信した場合には、常駐型シーケンスによるデータを測定データよりも優先してデータ収集サーバ装置１に送信することができる。よって、情報処理装置３は、健康機器４から測定データを取得中であっても、健康機器４から優先度の高い常駐型シーケンスによるデータを受け取った場合、その優先度の高いデータを優先して処理を行うことができる。
【０１０４】
ここで、シーケンス実行部３２０は、第１シーケンス定義情報に基づく通信と、第２シーケンス定義情報に基づく通信とを、並行して行う。これにより、情報処理装置３は、複数のシーケンス（例えば、取得シーケンス及び常駐型シーケンス）を同時に実行することができるため、各シーケンスにおいてデータの通信ができない隙間時間がなくなり、データを取りこぼすことなく処理できる。
【０１０５】
例えば、仮に、同時に複数のデータの受信を待ち受けることで対応しようとすると、どうしても通信接続時に処理できない隙間時間ができる上に、処理を実行させるためのプログラムの記述が冗長で複雑になり、一度定義したコードを流用して機能をしぼったり追加したりする場合の修正が難しくなる。
本実施形態によれば、取得シーケンス及び常駐型シーケンスを並行して実行するとともに、通信接続の開始時から常駐型シーケンスを実行開始することができる。よって、本実施形態によれば、通信接続時から隙間なくデータを受信できるとともに、取得シーケンスと常駐型シーケンスとを分けて定義するためシーケンスの修正も容易である。
【０１０６】
（第２の実施形態）
次に、本発明の第２の実施形態について説明する。
本実施形態における情報処理システムＳ１の構成は、第１の実施形態における構成と同様であるため、本実施形態において特徴的な処理について説明する。第１の実施形態では、情報処理装置３が、常駐型シーケンスにより健康機器４から送信されるデータを、取得シーケンスにより健康機器４から送信されるデータより優先して、データ収集サーバ装置１に送信する例を説明したが、これに限られるものではない。本実施形態では、情報処理装置３は、健康機器４に対して初期設定する初期設定シーケンスと、前述の常駐型シーケンスとを並行して実行し、初期設定シーケンスによる通信よりも優先して、常駐型シーケンスにより健康機器４から送信されるデータをデータ収集サーバ装置１に送信する。ここで、初期設定シーケンスによる通信は、健康機器４に対して初期設定するためのデータが情報処理装置３から健康機器４に対して送信される通信である。
【０１０７】
例えば、図３に示す定義情報記憶部３０７に、初期設定シーケンスを示す初期設定シーケンス定義情報と常駐型シーケンス定義情報とが記憶されている。シーケンス調整部３１０は、機器特定部３０４が特定した機器特定情報に対応する初期設定シーケンス定義情報と常駐型シーケンス定義情報とを読み出し、読み出した初期設定シーケンス定義情報と常駐型シーケンス定義情報とをシーケンス実行部３２０に出力する。シーケンス実行部３２０は、初期設定シーケンス定義情報と常駐型シーケンス定義情報とを並行して実行する。また、シーケンス調整部３１０は、初期設定シーケンス定義情報に基づいて健康機器４に対して初期設定する通信よりも優先して、常駐型シーケンス定義情報に基づく通信により健康機器４から送信されるデータをデータ取得部３０６に出力する。これにより、初期設定シーケンス定義情報に基づく通信よりも優先して、常駐型シーケンス定義情報に基づく通信により健康機器４から送信されるデータがデータ収集サーバ装置１に送信される。
【０１０８】
以上説明したように、本実施形態における情報処理システムＳ１では、情報処理装置３のデータ送信部３０９は、初期設定シーケンス定義情報（第１シーケンス定義情報の例）に基づく通信よりも優先して、常駐型シーケンス定義情報（第２シーケンス定義情報の例）に基づく通信により生体測定機器（健康機器４）から送信されるデータを、当該データの送信先（データ収集サーバ装置１）に送信する。
これにより、情報処理装置３は、健康機器４に対して初期設定を行いつつ、常駐型シーケンスによる優先度の高いデータを受信した場合には、常駐型シーケンスによるデータを優先してデータ収集サーバ装置１に送信することができる。
【０１０９】
なお、第１の実施形態及び第２の実施形態において、情報処理装置３が、常駐型シーケンスにより健康機器４から送信されるデータを、取得シーケンス及び初期設定シーケンスによる通信よりも優先してデータ収集サーバ装置１に送信する例を説明したが、これに限られるものではない。例えば、情報処理装置３は、取得シーケンスにより健康機器４から送信されるデータを、常駐型シーケンスにより健康機器４から送信されるデータより優先してデータ収集サーバ装置１に送信してもよい。また、情報処理装置３は、健康機器４に対して初期設定する通信を、常駐型シーケンスによる通信より優先してもよい。つまり、複数のシーケンスによるデータのそれぞれの優先関係は、任意に設定することができる。
【０１１０】
（第３の実施形態）
次に、本発明の第３の実施形態について説明する。
本実施形態における情報処理システムＳ１の構成及び情報処理装置３ａのハードウェア構成は、図１及び図２に示す第１の実施形態における情報処理システムＳ１の構成及び情報処理装置３の構成と同様であるため、その説明を省略する。
【０１１１】
本実施形態における情報処理装置３ａは、健康機器４から送信されるデータをデータ収集サーバ装置１に送信する際に、データのフォーマット変換を行わない点が、第１の実施形態における情報処理装置３と異なる。例えば、データ収集サーバ装置１は、データのフォーマットが統一されている健康機器４からデータを収集する場合には、健康機器４から送信されるデータのフォーマットを変換する必要がない。以下、図面を参照して、本実施形態における情報処理装置３ａについて説明する。
【０１１２】
図２２は、第３の実施形態に係る情報処理装置３ａの機能構成の一例を示す概略ブロック図である。図２２において、処理部３０ａは、制御部３４が記憶部３１からプログラムを読み出して実行することで実現される。この図に示す処理部３０ａは、図３に示す処理部３０に対してフォーマット変換部３０８を備えていない点を除いて同様であり、その説明を省略する。処理部３０ａのデータ取得部３０６は、通信接続が確立された健康機器４から送信されるデータをシーケンス調整部３１０を介して取得し、取得したデータをデータ送信部３０９に出力する。
【０１１３】
図２３は、第３の実施形態に係る処理部３０ａのデータ送信処理の一例を示すフローチャートである。この図に示す処理部３０ａのデータ送信処理は、図２１に示す処理部３０のデータ送信処理に対して、ステップＳＴ１２０の処理を行わない点を除いて同様である。なお、各図において同一部分には同一符号を付しており、その説明を省略する。
【０１１４】
ステップＳＴ１１９において、データ取得部３０６は、健康機器４から送信された取得シーケンスによるデータを、シーケンス調整部３１０から取得する。例えば、ステップＳＴ１１５において、健康機器４から送信されたデータが取得シーケンスによる測定データであると判定された場合、データ取得部３０６は、その測定データを、シーケンス調整部３１０から取得する。そして、データ取得部３０６は、取得した測定データをデータ送信部３０９に出力する。
ステップＳＴ１２１において、データ送信部３０９は、データ取得部３０６から出力された測定データを送信データとして送信する。
【０１１５】
また、ステップＳＴ１１６において、健康機器４から送信されたデータが常駐型シーケンスによるデータであると判定された場合、ステップＳＴ１１９において、データ取得部３０６は、健康機器４から送信された常駐型シーケンスによるデータを、シーケンス調整部３１０から取得する。
ステップＳＴ１２１において、データ送信部３０９は、データ取得部３０６から出力された常駐型シーケンスによるデータを送信データとして送信する。
【０１１６】
なお、上述した第１〜第３の実施形態における情報処理装置３、３ａの一部、例えば、処理部３０、３０ａをコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報処理装置３、３ａに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１１８】
例えば、上述した実施形態では、情報処理装置３、３ａは、ネットワークを介して定義情報サーバ装置２から定義情報、シーケンス定義情報及びメッセージ定義情報を取得しているが、これに限らず、情報処理装置３、３ａに接続可能な記憶媒体に定義情報、シーケンス定義情報及びメッセージ定義情報を記憶しておき、当該記憶された定義情報、シーケンス定義情報及びメッセージ定義情報を利用してもよい。記憶媒体は、例えば、光磁気ディスク、フレキシブルディスク、フラッシュメモリなどの可搬記憶媒体である。或いは、健康機器４に張り付けられたＱＲ（Ｑｕｉｃｋ  Ｒｅｓｐｏｎｓｅ）コード（登録商標）やＲＦＩＤ（Ｒａｄｉｏ  Ｆｒｅｑｕｅｎｃｙ  ＩＤｅｎｔｉｆｉｃａｔｉｏｎ）に定義情報、シーケンス定義情報及びメッセージ定義情報を格納してもよい。この場合、情報処理装置３、３ａは、ＱＲコード（登録商標）またはＲＦＩＤから定義情報、シーケンス定義情報及びメッセージ定義情報を読み取り、読み取った定義情報、シーケンス定義情報及びメッセージ定義情報を利用する。
また、上述した実施形態では、第１通信部３５の通信をブルートゥースとしたが、これに限らず、例えば、シリアル（例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ））やＵＳＢなどの有線通信や、赤外線や無線ＬＡＮなどの無線通信であってもよい。
【符号の説明】
【０１１９】
Ｓ１・・・情報処理システム、１・・・データ収集サーバ装置、２・・・定義情報サーバ装置、３、３ａ・・・情報処理装置、４・・・健康機器、３０、３０ａ・・・処理部、３１・・・記憶部、３２・・・入力部、３３・・・第２通信部、３４・・・制御部、３５・・・第１通信部、３６・・・表示部、３０１・・・ペアリング部、３０２・・・機器情報記憶部、３０４・・・機器特定部、３０５・・・定義情報取得部、３０６・・・データ取得部、３０７・・・定義情報記憶部、３０８・・・フォーマット変換部、３０９・・・データ送信部、３１０・・・シーケンス調整部、３２０・・・シーケンス実行部、３２１・・・常駐型シーケンス実行部、３２２・・・取得シーケンス実行部
【図１】
2015222863.tif 000003
【図２】
2015222863.tif 000004
【図３】
2015222863.tif 000005
【図４】
2015222863.tif 000006
【図５】
2015222863.tif 000007
【図６】
2015222863.tif 000008
【図７】
2015222863.tif 000009
【図８】
2015222863.tif 000010
【図９】
2015222863.tif 000011
【図１０】
2015222863.tif 000012
【図１１】
2015222863.tif 000013
【図１２】
2015222863.tif 000014
【図１３】
2015222863.tif 000015
【図１４】
2015222863.tif 000016
【図１５】
2015222863.tif 000017
【図１６】
2015222863.tif 000018
【図１７】
2015222863.tif 000019
【図１８】
2015222863.tif 000020
【図１９】
2015222863.tif 000021
【図２０】
2015222863.tif 000022
【図２１】
2015222863.tif 000023
【図２２】
2015222863.tif 000024
【図２３】
2015222863.tif 000025